(57)【要約】【課題】  再生映像を目視により確認しながらの編集作業を極めて容易に行えるようにする。【解決手段】  記録モード時、モード検出部２１は、入力制御部１２で抽出された現在受信中の放送番組の放送モードを検出し、その検出信号をコントローラ１４に出力する。コントローラ１４は、この検出信号に基づき、現在記録中の放送番組の放送モード、すなわち音声信号がステレオ信号であるのかモノラル信号であるのかを判別し、音声信号がモノラル信号である場合には、記録中の番組が本編部分であると判断し、その番組の映像信号及び音声信号をそのまま出力してハードディスクに書き込む一方、音声信号がステレオ信号である場合には、記録中の番組がＣＭ部分であると判断し、輝度信号のレベルを零とした映像信号を出力してハードディスクに書き込む。【選択図】  図１
2006303848.tif 000002
【特許請求の範囲】
【請求項１】
本編とＣＭからなる放送番組の映像信号及び音声信号を記録制御手段にて記録媒体に記録する記録モードと、記録した映像信号及び音声信号を再生制御手段にて再生する再生モードを有する映像記録再生装置において、
記録モード時、
放送中の番組の放送モードを検出する放送モード検出手段と、
前記放送モード検出手段により検出された放送モードに基づき、放送モードがステレオ放送の場合にはＣＭと判定し、モノラル放送の場合には本編と判定する判別手段とを備えており、
前記記録制御手段は、前記判別手段の判別結果に基づき、放送中の番組がＣＭ部分である場合には輝度信号のレベルを零とした信号を出力し、放送中の番組が本編部分である場合には映像信号及び音声信号を出力して前記記録媒体に記録する一方、
再生モード時、前記再生制御手段は、再生中の映像信号の輝度信号のレベルを常に監視し、輝度信号のレベルが零の部分をカットまたは早送りして再生することを特徴とする映像記録再生装置。
【請求項２】
本編とＣＭからなる放送番組の映像信号及び音声信号を記録媒体に記録するとともに、記録した映像信号及び音声信号を再生して出力する映像記録再生装置において、
前記放送番組を記録制御手段にて前記記録媒体に記録する記録モード時、
放送中の番組の放送モードを検出する放送モード検出手段と、
前記放送モード検出手段により検出された放送モードに基づいて本編とＣＭとを判別する判別手段とを備えており、
前記記録制御手段は、前記判別手段の判別結果に基づき、放送中の番組がＣＭ部分である場合には映像信号を出力せず、放送中の番組が本編部分である場合には映像信号及び音声信号を出力して前記記録媒体に記録することを特徴とする映像記録再生装置。
【請求項３】
前記判別手段は、放送モードがステレオ放送の場合にはＣＭと判定し、モノラル放送の場合には本編と判定することを特徴とする請求項２に記載の映像記録再生装置。
【請求項４】
前記記録制御手段は、放送中の番組がＣＭ部分である場合には、輝度信号のレベルを零とした信号を出力することを特徴とする請求項２に記載の映像記録再生装置。
【請求項５】
前記記録媒体に記録された放送番組を再生制御手段にて再生する再生モード時、
前記再生制御手段は、再生中の映像信号に含まれる輝度信号のレベルを常に監視し、輝度信号のレベルが零の部分をカットまたは早送りして再生することを特徴とする請求項４に記載の映像記録再生装置。
【発明の詳細な説明】
【技術分野】
【０００１】
本発明は、本編とＣＭからなる番組の映像信号及び音声信号をデジタル化して記録媒体に記録するとともに、記録した映像信号及び音声信号を再生して出力する映像記録再生装置に関する。
【背景技術】
【０００２】
番組の映像信号及び音声信号をデジタル化して記録媒体に記録するための映像記録再生装置のユーザは、記録された番組を視聴する際、一般に、本編に挿入されたコマーシャルメッセージ（ＣＭ）が再生される時には早送り操作を行ない、ＣＭを飛ばして視聴する傾向がある。
【０００３】
ところで、ＣＭカット機能を有する多くの映像記録再生装置では、本編の音声信号の形態とＣＭの音声信号の形態が異なる場合に、これらの形態の違いで本編とＣＭとを判別している。具体的には、多くのＣＭがステレオモードで制作されているのを利用し、モノラルモードや二カ国語モードで制作された本編と区別している。
【０００４】
そして、上記の判別手法を用いて、自動的に本編ごと及びＣＭごとに区切りのデータ（具体的には、ＤＶＤではトランクデータやチャプタデータ）を記録することによって、ダビング後の不用なＣＭや番組の消去、移動等の編集作業を容易に行うことを可能とした記録再生装置が提案されている（例えば、特許文献１参照）。
【０００５】
また、上記の判別手法を用いて、本編の欠落の生じないＣＭスキップを可能とした装置も提案されている（例えば、特許文献２参照）。この装置は、ステレオ信号検出手段に供給された音声信号からステレオ信号を検出すると、無音信号を記録媒体に記録し、再生時にこの無音信号を検出するとＣＭ中と判断して、この部分を早送り再生するようになっている。
【特許文献１】特開２００４−１８５７２９号公報
【特許文献２】特開平５−２５０７６２号公報
【発明の開示】
【発明が解決しようとする課題】
【０００６】
上記特許文献１の記録再生装置によれば、本編ごと及びＣＭごとに区切りのデータを記録し、編集時にはその区切りのデータのところまで順次スキップさせることで、編集作業を容易に行うことができる。
【０００７】
ところで、最近のＣＭは、ドラマ仕立てになっているものも多く、ＣＭと本編との区切りが目視では瞬時に判断できないケースも増えている。
【０００８】
このような状況を鑑みると、上記特許文献１の記録再生装置による編集作業において、ある区切りのデータまでスキップさせたとき、そこから再生される映像が本当に本編の映像であるのかどうかを目視により再度確認しようとすると、再生動作をしばらく継続して、その再生映像の内容が本編部分であるのかＣＭ部分であるのかを確認する必要がある。つまり、区切りデータが記録されているものの、ＣＭも本編も通常通り記録されているため、スキップ後の再生映像が本編であるのかＣＭであるのかが分かりにくいといった問題があった。また、上記特許文献１の記録再生装置では、本編ごと及びＣＭごとに区切りのデータを記録する必要があるため、記録動作が煩雑になるといった問題もあった。
【０００９】
また、上記特許文献２のように、ＣＭ中に無音信号を記録した記録媒体を編集する場合、この無音部分を検出しながらＣＭ部分を削除する等の編集処理を行うことになるが、このとき、この無音部分に相当する再生映像が本当にＣＭの再生映像であるのかどうかを目視により再度確認する必要がある。つまり、無音状態は、例えばドラマなどではそのシーンによってほぼ無音状態となる場合もあるため、無音状態、即ＣＭと判断するのは危険だからである。従って、上記特許文献２のように記録された記録媒体を再生して編集作業を行う場合には、上記特許文献１の場合と同様の問題があった。すなわち、ＣＭも本編も、映像としては通常通り記録されているため、再生動作を行って再生映像の内容を確認する必要があった。すなわち、編集の際にＣＭかどうかが分かりにくいといった問題があった。
【００１０】
本発明はかかる問題点を解決すべく創案されたもので、その目的は、再生映像を目視により確認しながらの編集作業を極めて容易に行うことができるとともに、再生動作時のＣＭスキップも簡単に行うことのできる映像記録再生装置を提供することにある。
【課題を解決するための手段】
【００１１】
上記課題を解決するため、本発明の映像記録再生装置は、本編とＣＭからなる放送番組の映像信号及び音声信号を記録媒体に記録するとともに、記録した映像信号及び音声信号を再生して出力する映像記録再生装置において、前記放送番組を記録制御手段にて前記記録媒体に記録する記録モード時、放送中の番組の放送モードを検出する放送モード検出手段と、前記放送モード検出手段により検出された放送モードに基づいて本編とＣＭとを判別する判別手段とを備えており、前記記録制御手段は、前記判別手段の判別結果に基づき、放送中の番組がＣＭ部分である場合には映像信号を出力せず、放送中の番組が本編部分である場合には映像信号及び音声信号を出力して前記記録媒体に記録することを特徴とする。
【００１２】
より具体的に説明すると、前記判別手段は、放送モードがステレオ放送の場合にはＣＭと判定し、モノラル放送の場合には本編と判定する。そして、前記記録制御手段は、放送中の番組がＣＭ部分である場合には、輝度信号のレベルを零とした信号を出力する。すなわち、輝度信号のレベルを零とした信号を出力することで、記録媒体には、ＣＭ部分に真っ黒な映像の信号が記録されることになる。
【００１３】
すなわち、本編とＣＭでこのような信号が記録された記録媒体を再生して編集作業を行う場合、ＣＭ部分は黒画面になるため、目視による判断が極めて容易となり、編集作業が行い易くなるものである。
【００１４】
また、本発明によれば、前記記録媒体に記録された放送番組を再生制御手段にて再生する再生モード時、前記再生制御手段は、再生中の映像信号に含まれる輝度信号のレベルを常に監視し、輝度信号のレベルが零の部分を早送りして再生するように構成してもよい。このように、輝度信号のレベルを監視することで、ＣＭ部分を確実にカットまたは早送りすることが可能となる。
【発明の効果】
【００１５】
本発明の映像記録再生装置によれば、編集作業時、ＣＭ部分は黒画面になるため、目視による判断が極めて容易となり、編集作業が行い易くなるものである。
【発明を実施するための最良の形態】
【００１６】
以下、本発明の実施の形態について、図面を参照して説明する。
【００１７】
図１は、本発明の映像記録再生装置の一実施形態を示すＨＤレコーダ１の電気的構成を示すブロック図である。ただし、本発明の映像記録再生装置は、このようなＨＤレコーダに限定されるものではなく、例えばＨＤＤ内蔵のＤＶＤレコーダ等を含む一般のデジタル映像機器や光ディスク装置等に適用可能であり、さらには従来のビデオテープレコーダにも適用可能なものである。
【００１８】
図１に示すＨＤレコーダ１は、受信部１１、入力制御部１２、Ａ／Ｄ変換部１３、コントローラ１４、ＨＤドライブ１５、Ｄ／Ａ変換部１６、出力制御部１７、入力部１８、インターフェース部１９、及びモード検出部２１等を備えて構成される。
【００１９】
入力部１８は、スイッチ、ボタン或いはリモコン等から構成され、ユーザの操作内容に応じた信号をコントローラ１４へ出力するものである。これにより、ユーザは、種々のデータをＨＤレコーダ１に入力することができ、ＨＤレコーダ１を操作して使用することができる。
【００２０】
インターフェース部１９は、例えばインターネット等のＨＤレコーダ１外部の構成要素とコントローラ１４とを接続するための構成要素であり、ＨＤレコーダ１外部の構成要素から取得されたデータをコントローラ１４に入力する。
【００２１】
受信部１１は、チューナや分離器を備えて構成される。受信部１１は、アンテナ６を介して番組の放送信号を受信し、この放送信号を入力制御部１２へ送信する。放送信号はアナログ信号又はデジタル信号であり、音声信号と映像信号とを含んで構成される。
【００２２】
入力制御部１２は、受信部１１で受信された放送信号から音声信号と映像信号を抽出する。Ａ／Ｄ変換部１３は、上記放送信号がアナログ信号である場合には入力制御部１２で抽出された映像信号及び音声信号をＭＰＥＧ２（Ｍｏｔｉｏｎ  ＰｉｃｔｕｒｅＥｘｐｅｒｔ  Ｇｒｏｕｐ  ２）によりエンコード（圧縮）してコントローラ２４に出力する。一方、上記放送信号がデジタル信号である場合には、映像信号及び音声信号は既にＭＰＥＧ２でエンコードされているので、これら映像信号及び音声信号をそのままコントローラ１４に送信する。
【００２３】
コントローラ１４は、ＣＰＵ１４ａ、ＲＡＭ１４ｂ、ＲＯＭ１４ｃを備えて構成される。コントローラ１４は読み取り手段、認識手段、書込み手段を兼ねた構成要素であり、後述するハードディスク１５０に対する音声信号及び映像信号の読み取り、書き込みや、番組の本編やＣＭの認識を行なったり、ＨＤレコーダ１の各構成要素を制御したりする。
【００２４】
ＲＯＭ１４ｃには、ＨＤレコーダ１全体を制御するためのプログラムが格納されている。ＣＰＵ１４ａはＲＯＭ１４ｃに格納されたプログラムや入力部１８からの信号に従い、ＨＤレコーダ１の各構成要素を制御するための演算を行なう。ＲＡＭ１４ｂはＣＰＵ１４ａが演算を行うための作業領域として作動する。
【００２５】
ＨＤドライブ１５はコントローラ１４とともに読み取り手段及び書き込み手段を形成する構成要素であり、記憶媒体であるハードディスク（ＨＤ）と、ハードディスクに記憶されている情報の読み取り、書き込みを行うためのヘッドと、を備えて構成される。
【００２６】
Ｄ／Ａ変換部１６はハードディスクに記憶された映像信号及び音声信号を再生する際、コントローラ１４を介してこれらの信号をデコード（伸張）し、アナログ信号に変換して出力制御部１７に出力する。さらに出力制御部１７はＤ／Ａ変換部１６で変換された映像信号及び音声信号をテレビモニタや受像管（ＣＲＴ）やスピーカといった出力装置へ出力する。
【００２７】
モード検出部２１は、受信部１１で受信され入力制御部１２で抽出された放送信号のモード（放送モード）を検出する。具体的には、音声モードがステレオモードであるのかモノラルモードであるのか（すなわち、音声信号がステレオ信号であるのかモノラル信号であるのか）を検出する。
【００２８】
上記構成において、番組の放送信号はアンテナ６、受信部１１を経て取得される。さらに入力制御部１２で番組の放送信号から映像信号及び音声信号が抽出される。抽出された番組の映像信号及び音声信号はＡ／Ｄ変換部１３、コントローラ１４及びＨＤドライブ１５を経てハードディスクに書き込まれ、記録される。
【００２９】
一方、コントローラ１４は、このような記録動作時において、モード検出部２１により検出される音声信号のモードに基づき、記録中の番組がＣＭ部分である場合には輝度信号のレベルを零とした信号を出力してハードディスクに書き込み、記録中の番組が本編部分である場合にはその番組の映像信号及び音声信号を出力してハードディスクに書き込むようになっている。
【００３０】
すなわち、記録中の番組が本編部分である場合の記録映像信号は、図２（ａ）にその一例を示すように、輝度信号と搬送色信号とを加えた通常の映像信号となる。一方、記録中の番組がＣＭ部分である場合の記録映像信号は、図２（ｂ）に示すように、輝度信号のレベルを零とした信号と搬送色信号とを加えた信号となる。つまり、輝度信号のレベルが零であるため、記録された映像信号は真っ黒な映像の信号となる。
【００３１】
図３は、モード検出部２１の回路構成例を示しており、バンドパスフィルタ（ＢＰＦ）２１ａ、ＡＭ（amplitude modulation）検波回路２１ｂ、周波数判別回路２１ｃから構成されている。このモード検出部２１の回路構成は、受信部１１で受信された放送信号がアナログ信号である場合の回路構成例である。
【００３２】
すなわち、放送信号がアナログ信号である場合には、受信部１１において高周波信号（ＲＦ信号）から中間周波信号（ＩＦ信号）に変換され、入力制御部１２でＳＩＦ（Sound Intermediate Frequency）検波により分離抽出された音声信号がモード検出部２１のバンドパスフィルタ（ＢＰＦ）２１ａに入力され、ここで不要成分等が除去された後、ＡＭ検波回路２１ｂによってＡＭ検波され、その検波出力の周波数を周波数判別回路２１ｃによって判別することで、放送モードを検出し、その検出信号をコントローラ１４に出力する。具体的には、音声信号がステレオ信号であるのかモノラル信号であるのかを検出し、その検出信号をコントローラ１４に出力するようになっている。
【００３３】
なお、放送信号がデジタル信号である場合のモード検出部２１の回路構成については図示を省略するが、いずれにしても放送信号からステレオ放送またはモノラル放送の放送モードを検出する技術自体は従来から種々提案されている周知技術である。
【００３４】
次に、上記構成の映像記録再生装置における記録モード時の動作について、図４に示すフローチャートを参照して説明する。
【００３５】
記録モード時、モード検出部２１は、入力制御部１２で抽出された現在放送（受信）中の放送番組の放送モードを検出し、その検出信号をコントローラ１４に出力する（ステップＳ１）。
【００３６】
コントローラ１４は、この検出信号に基づき、現在記録中の放送番組の放送モード、すなわち音声信号がステレオ信号であるのかモノラル信号であるのかを判別する（ステップＳ２）。その結果、音声信号がモノラル信号である場合（ステップＳ２でＮｏと判断された場合）には、記録中の番組が本編部分であると判断し、その番組の映像信号及び音声信号をそのまま出力してハードディスクに書き込む（ステップＳ３）。
【００３７】
一方、ステップＳ２での判断の結果、音声信号がステレオ信号である場合（Ｙｅｓと判断された場合）には、記録中の番組がＣＭ部分であると判断し、輝度信号のレベルを零とした映像信号を出力してハードディスクに書き込む（ステップＳ４）。
【００３８】
コントローラ１４では、上記ステップＳ２〜ステップＳ４の処理を、記録モードを終了するまで（ステップＳ５でＹｅｓと判断されるまで）、繰り返す。
【００３９】
その結果、ハードディスクに記録された放送番組は、図５に示すように、本編部分は放送通りの番組映像が記録され、ＣＭ部分では輝度信号のレベルを零とした真っ黒の映像が記録されることになる。
【００４０】
次に、上記構成の映像記録再生装置において、ＣＭ部分をスキップするスキップ再生モード時の動作について、図６に示すフローチャートを参照して説明する。
【００４１】
スキップ再生モード時、システムコントローラ１４は、再生中の放送番組の映像信号に含まれる輝度信号のレベルを常に監視する（ステップＳ１１，ステップＳ１２）。
【００４２】
その結果、輝度信号のレベルが零でない場合（ステップＳ１２でＮｏと判断された場合）には、再生中の番組が本編部分であると判断し、そのまま通常再生を継続する（ステップＳ１３）。
【００４３】
一方、ステップＳ１２での判断の結果、輝度信号のレベルが零である場合（Ｙｅｓと判断された場合）には、再生中の番組がＣＭ部分であると判断し、その部分をカットまたは早送りする（ステップＳ１４）。
【００４４】
コントローラ１４では、上記ステップＳ１２〜ステップＳ１４の処理を、再生モードを終了するまで（ステップＳ１５でＹｅｓと判断されるまで）、繰り返す。これにより、ＣＭ部分を実質的にカットし、本編部分のみを連続的に再生することができる。
【００４５】
次に、上記構成の映像記録再生装置を用いて、記録した番組を編集する場合の処理について説明する。
【００４６】
ハードディスクに記録した番組を編集する場合、ユーザは、その番組を通常再生で図示しないモニタ画面に表示し、必要に応じて早送り操作を繰り返しながら、編集部分を探索する。この場合、再生画面は、本編部分では通常通りの映像が表示される一方、ＣＭ部分では真っ黒な画像が表示されるため、ユーザにとっては早送り状態であっても、本編部分とＣＭ部分とを簡単に見分けることができる。そのため、編集作業、特にＣＭ部分をカットして本編部分のみを繋ぎ合わせる編集作業では、ＣＭ部分が明確に分かるため、極めて作業が行い易いものである。
【図面の簡単な説明】
【００４７】
【図１】本発明の映像記録再生装置の一実施形態であるＨＤレコーダ１の電気的構成を示すブロック図である。
【図２】本編部分とＣＭ部分の記録時の映像信号の信号波形を示す説明図である。
【図３】モード検出部の回路構成例を示すブロック図である。
【図４】記録モード時の処理動作を示すフローチャートである。
【図５】記録媒体に記録された放送番組の記録状態を説明する図である。
【図６】スキップ再生モード時の処理動作を示すフローチャートである。
【符号の説明】
【００４８】
１  ＨＤレコーダ
１１  受診部
１２  入力制御部
１３  Ａ／Ｄ変換部
１４  コントローラ
１４ａ  ＣＰＵ
１４ｂ  ＲＡＭ
１４ｃ  ＲＯＭ
１５  ＨＤドライブ
１６  Ｄ／Ａ変換部
１７  出力制御部
１８  入力部
１９  ＩＦ部
２１  モード検出部
【図１】
2006303848.tif 000003
【図２】
2006303848.tif 000004
【図３】
2006303848.tif 000005
【図４】
2006303848.tif 000006
【図５】
2006303848.tif 000007
【図６】
2006303848.tif 000008